(57)【要約】【課題】より高性能な水素吸引装置を提供することである。また、より効果の高い水素の吸引方法を提供することである。【解決手段】本発明の水素吸引装置１は、水素発生部７と、ユーザの少なくとも口から水素を吸うことが可能に形成された口部３と、水素発生部７と口部３とを連結し、水素を含んだ空気が内部を流れる連結管部７と、を有する。【選択図】図１
2018149027.tif 000002
【特許請求の範囲】
【請求項１】
水素発生部と、
ユーザの少なくとも口から水素を吸うことが可能に形成された口部と、
前記水素発生部と前記口部とを連結し、水素を含んだ空気が内部を流れる連結管部と、
を有する
水素吸引装置。
【請求項２】
前記口部は、ユーザの口及び鼻を囲むドーム形状の口マスク部を有する
請求項１に記載の水素吸引装置。
【請求項３】
前記水素発生部は、前記口部へ供給する水素を含んだ空気の流量調節が可能な
請求項１又は２に記載の水素吸引装置。
【請求項４】
前記口部は、口腔内に挿入され、水素を含んだ空気がユーザの歯茎に向けて流出するように形成されている
請求項１又は請求項３に記載の水素吸引装置。
【請求項５】
水素を含んだ空気を、ユーザの口から吸入させる吸入方法。
【発明の詳細な説明】
【技術分野】
【０００１】
本発明は、水素を吸引する装置に関する。
【背景技術】
【０００２】
特許文献１には、水素吸引装置の技術が開示されている。
【先行技術文献】
【特許文献】
【０００３】
【特許文献１】特開２０１４―０６１２７５号公報
【発明の概要】
【発明が解決しようとする課題】
【０００４】
しかしながら、より高性能な装置を提供したいという需要がある。
【０００５】
本発明は、より高性能な水素吸引装置を提供することである。また、より効果の高い水素の吸引方法を提供することである。
【課題を解決するための手段】
【０００６】
本発明の水素吸引装置は、水素発生部と、ユーザの少なくとも口から水素を吸うことが可能に形成された口部と、前記水素発生部と前記口部とを連結し、水素を含んだ空気が内部を流れる連結管部と、を有する。
【０００７】
好適には、前記口部は、ユーザの口及び鼻を囲むドーム形状を有する。
【０００８】
好適には、前記水素発生部は、前記口部へ供給する水素を含んだ空気の流量調節が可能である。
【０００９】
好適には、前記口部は、口腔内に挿入され、水素を含んだ空気がユーザの歯茎に向けて流出するように形成されている。
【００１０】
本発明の吸引方法は、水素を含んだ空気を、ユーザの口から吸入させる。
【発明の効果】
【００１１】
本発明における水素吸引装置によってより高性能な装置を提供することが可能となった。また、本発明の吸引方法によって、より効果の高い水素の吸引方法を提供することが可能となった。
【図面の簡単な説明】
【００１２】
【図１】本発明の第１の実施形態に係る使用態様を示す説明図である。
【図２】より好適な第２の実施形態の説明図である。
【図３】他の実施形態の説明図である。
【発明を実施するための形態】
【００１３】
＜第１の実施形態＞
水素は、それを体内に取り入れることによって、健康・美容等の各種の効果がある可能性があるとのことで研究開発が進められている。
体内に取り入れる方法は、水に水素水を溶かして飲むということが一般的であるが、吸引による方法も考えられている。
具体的には、水素を含んだ空気を、ユーザが吸引するという方法である。
その方法としては、従来、鼻の入り口付近に水素噴出する出口を有した、チューブによる方法があった。
【００１４】
図１は、本発明の第１の実施形態に係る使用態様を示す説明図である。
【００１５】
図１のように、水素吸引装置１は、水素発生部７と、口部３と、連結管部５とを有している。
水素発生部７は、水を電気分解することによって水素を発生させて、空気に加えることによって、空気中の水素量を増やして、水素を含んだ空気を送出する機能を有している。
そのため、図示しないが、水貯蔵部、水を電気分解する電気分解部、発生した水素を取り入れた空気に混入する混入部、空気又は水素を含んだ空気を流すためのポンプ部を有している。
水素発生部７は、流量調節部７９と、現在の流量を表示する流量表示部７１と、タイマ調節部７３と、水素の原料となる水の残量を示す水量表示部７５と、スタートボタン７７と、水素を含んだ空気を送出する送出部７０を有している。
流量調節部７９は、その押圧するたびに水素の発生量を変化させる。具体的には、電気分解する際の電圧を変化させて、電気分解の速度を調節することができる。
流量表示部７１は、流量調節部７９がどれほどの水素を発生するか表示することができる。なお、この流量表示部７１以外にも、タイマ調節部７３による調整の結果であるタイマを表示する部分があってもよい。
タイマ調節部７３は、水素発生部７が発生する時間を調節することができる。
スタートボタン７７は、水素発生部７の電源を入れることができる。
水量表示部７５は、水素の原料となる水の残量が目視できるように設けられている。
送出部７０は、水素を含んだ空気を送出するために設けられている。この送出部７０に、連結管部５の水素発生部７側の端部である水素発生部側端部５１が挿入可能に形成されている。
【００１６】
連結管部５は、可撓の有る管状の形状を有しており、この管状の内部を、水素を含んだ空気が流れることになる。
連結管部５の水素発生部７側の端部である水素発生部側端部５１は、送出部７０との間で水素を含んだ空気が漏れないような形状を有している。具体的には、蛇腹のようなヒダが形成されている。
また、連結管部５の水素発生部側端部５１とは反対側の端部である口部側端部５３は、口部３に接続されている。
なお、口部３と連結管部５とは一体化されていてもよい。
【００１７】
口部３は、ユーザの少なくとも口部分に水素を含んだ空気を送れる形状である必要がある。
もちろん、図１のようにユーザの口部分のみならず、鼻部分も覆うことができる形状であってもよい。
なお、口部３には、ユーザの吐いた息を逃がすための、穴等が空いていてもよい。
また、口部３は、ドーム状の形状であるとよい。
【００１８】
このような構成によって、従来、鼻からしか水素を含んだ空気を取り入れることができなかったものが、口からも取り入れることが可能となった。
しかも、従来のものは、せっかく水素を含んだ空気を放出しても、鼻から吸い込まれず、そのまま空気中に拡散される事態が多く発生していたが、これを低減することも可能となった。
また、鼻からの場合は、水素を含んだ空気を鼻から吸引する際に、周りの空気も同時に取り入れてしまっていたため、水素の濃度がさらに低下してしまっていた。
さらに、周りの空気を取り入れてしまうということは、ユーザが体内に取り込む水素の濃度が一定せず適切な濃度の水素を吸引させることが困難であった。
その点、図１の水素吸引装置１の口部３は、口全体を覆う構成であるため、適切な濃度の水素を含んだ空気を吸引し続けることが可能となる。
【００１９】
＜第２の実施形態＞
図２は、より好適な第２の実施形態の説明図である。
【００２０】
図２のように、口部３に、リザーバ９が設けられるとより適切である。
このリザーバ９は、袋部９１と、この袋部９１と口部３の本体であるドーム状の部分とをつなぐ連結部９３と、を有している。
袋部９１は、ユーザが吐く息の量と同等かより大きなものが適切である。これによって、より確実に、発生させた水素をユーザに吸引させることが可能となる。
【００２１】
＜他の実施形態＞
図３は、他の実施形態の説明図である。
【００２２】
図３（ａ）のように、直接口の内部に水素を含んだ空気を放出することによって、口からの水素を含んだ空気を吸引可能としてもよい。
さらに、図３（ｂ）のように、鼻を含まず口だけを覆うドーム形状であってもよい。
また、図３（ｃ）の様に、歯の形状に合わせて作成したマウスピース３ｂの形状で口部３を形成してもよい。
さらに、水素を含んだ空気を歯茎部分に放出することによって、歯茎部分にも影響を与えることが可能となる。
なお、この水素吸引装置１は、人間だけではなく、動物に使用することも可能である。
【００２３】
＜さらに他の実施形態＞
図４は、他の実施形態の説明図である。
【００２４】
本発明は、口から水素を吸引できればよいのであるから、図４の様に、顔全体を覆うマスクによって、口からの吸引を図ることも可能である。
この場合、顔の皮膚（眼球、前髪も含む）に対して体の表面側からの水素の働きかけなども期待でき、美肌効果等の美容効果も期待できると考えている。
【００２５】
さらに、頭部分覆うドームのようなもの、さらには全身を覆うドームのようなものも可能である。
また、カプセルのように、気密性の高い容器内にユーザが入ることによって、全身に水素を供給することも可能である。
さらに、このような気密性が高い容器内にユーザが入る場合には、通常の大気圧よりも高い圧力（例えば１．３気圧等）で水素を供給できる。この場合には、よりユーザが水素を吸収することが可能となり、より高い効能が期待できる。
【００２６】
＜実施形態の構成及び効果＞
本発明の水素吸引装置１は、水素発生部７と、ユーザの少なくとも口から水素を吸うことが可能に形成された口部３と、水素発生部７と口部３とを連結し、水素を含んだ空気が内部を流れる連結管部５と、を有する。
このような構成によって、高性能な水素吸引装置を提供することが可能となった。
また、適切な濃度の水素を含んだ空気をユーザは吸引し続けることが可能となった。
【００２７】
口部３は、ユーザの口及び鼻を囲むドーム形状を有する。
このような構成によって、水素を含んだ空気を逃がさずに、より効率的に利用可能になった。
【００２８】
水素発生部７は、口部３へ供給する水素を含んだ空気の流量調節が可能である。
このような機能を持った水素発生部７であるからこそ、確実にユーザが吸引できるように口部へ水素を含んだ空気を提供する必要がある。
【００２９】
口部３は、口腔内に挿入され、水素を含んだ空気がユーザの歯茎に向けて流出するように形成されている。
このような構成を有することによって、水素を含んだ空気を逃がさずにユーザに吸引させることが可能となった。また、歯茎部分に水素を提供することができるようになった。  
【００３０】
本発明の吸引方法は、水素を含んだ空気を、ユーザの口から吸入させる。
これによって、水素を含んだ空気を逃がさずに、より効率的に利用可能になった。
【００３１】
＜定義＞
本発明のユーザには、人間以外の動物を含む。例えば、犬・猫・馬等である。
【符号の説明】
【００３２】
１    ：水素吸引装置
３    ：口部
３ｂ  ：マウスピース
５    ：連結管部
７    ：水素発生部
９    ：リザーバ
５１  ：水素発生部側端部
５３  ：口部側端部
７０  ：送出部
７１  ：流量表示部
７３  ：タイマ調節部
７５  ：水量表示部
７７  ：スタートボタン
７９  ：流量調節部
９１  ：袋部
９３  ：連結部
【図１】
2018149027.tif 000003
【図２】
2018149027.tif 000004
【図３】
2018149027.tif 000005
【図４】
2018149027.tif 000006
【手続補正書】
【提出日】平成29年4月14日(2017.4.14)
【手続補正１】
【補正対象書類名】明細書
【補正対象項目名】００１２
【補正方法】変更
【補正の内容】
【００１２】
【図１】本発明の第１の実施形態に係る使用態様を示す説明図である。
【図２】より好適な第２の実施形態の説明図である。
【図３】他の実施形態の説明図である。
【図４】他の実施形態の説明図である。